(57)【要約】【課題】鉄筋鉄骨コンクリート構造物では、多数の内装パネルを並べたり、裏面に接着剤を備えたプラスチックシートからなる内装シートを貼り付けていた。いずれにしても施工後の修理、交換には、内装パネル、内装シ−トの剥離によって大きな工事となる。【解決手段】コンクリート壁面Ｗにねじ４にて取り付ける基板１１に、Ｌ形に連設するフック１２を設け、フック１２と反対側には直角に折り曲げてなる受縁１３を設けるように形成した横架材１と、内壁パネルＰにねじ５にて取り付ける基板２１と、この基板２１より段差をもって連続させた延設板２２よりなり、この延設板２２に凹状の切り込み２２ａをもって一体にフック１２に被せる掛止部２３を膨出させ、かつ、凹状の切り込み２２ｂをもって外側に弧状に膨らませ横架材１の受縁１３に当接する舌片２４を設けて形成した縦材２とからなる内壁パネルの取り付け金具。【選択図】        図３
2004285731.tif 000002
【特許請求の範囲】
【請求項１】
コンクリート壁面に固定しフックとなる複数の横架材と、内壁パネルの背面に固定するものでフックに引っ掛ける掛止部を一体に備えるようにした複数の縦材とからなり、
横架材は、コンクリート壁面にねじにて取り付ける基板に、Ｌ形に連設するフックを設け、フックと反対側には直角に折り曲げてなる受縁を設けるように形成し、  縦材は、内壁パネルにねじにて取り付ける基板と、この基板より段差をもって連続させた延設板よりなり、この延設板に、凹状の切り込みをもって一体にフックに被せる掛止部を膨出させ、かつ、凹状の切り込みをもって外側に弧状に膨らませ横架材の受縁に当接する舌片を設けて形成したことを特徴とする内壁パネルの取り付け金具。
【請求項２】
請求項１記載の内壁パネルの取り付け金具であって、横架材のフックの先端部を二重に折り曲げて形成したことを特徴とする請求項１記載の内壁パネルの取り付け金具。
【請求項３】
請求項１又は請求項２記載の内壁パネルの取り付け金具であって、縦材の延設板を断面浅い溝型としたことを特徴とする請求項１又は請求項２記載の内壁パネルの取り付け金具。
【発明の詳細な説明】
【０００１】
【発明の属する技術分野】
この発明は、鉄筋コンクリート、鉄筋鉄骨コンクリート構造に係るオフィスビル、マンションなどの住宅、さらには店舗などにおいて、コンクリート構造物の壁面（仕切り壁を含む）に沿わせて配置固定する壁仕上げ材としての内壁パネルの取り付け金具に関するものである。
【０００２】
【従来の技術】
従来より、鉄筋鉄骨コンクリート構造物では、コンクリートの打ち放しでは、室内として落ち着きがなく、展示場や仮設工事現場のイメージとなるので、多数の内装パネルを並べたり、裏面に接着剤を備えたプラスチックシートからなる内装シートを貼り付けていた。
【０００３】
【発明が解決しようとする課題】
しかし、これら従来例においては次の問題を有していた。
（１）複数の内装パネルの固定を接着剤などで行うと、作業に熟練を要し作業効率が悪い。
（２）本固定の後、内装パネルの片面に壁紙を貼ったり、塗装を行うなどの仕上げ工程が必要となったりすると省力化にならない。
（３）内装パネルが汚損したり、寿命で交換する場合に貼り付けると、剥すのが面倒であり、ネジなど締結手段で固定すると壁面に穴が残るので補修の手間がかかることになる。
（４）内装シ−トを貼り付けるものでは、厚みにもよるがコンクリ−トの表面を予め平滑に仕上げておかないと凹凸が生じることになるものであった。
（５）いずれにしても施工後の修理、交換には、内装パネル、内装シ−トの剥離によって大きな工事となる。
【０００４】
【課題を解決するための手段】
本発明は、上記した従来の内装パネル、内装シ−トによる内装仕上げ工事における問題点に鑑み行ったもので、釘打ちや、内装の仕上げ工事を必要とせず、施工が簡単で且つ工事手順がよく、さらに修理や追加工事が容易な内装パネルの取り付け金具に関するもので、コンクリート壁面の内装表面材としての壁パネルを縦方向に順次並べて取り付けるようにするものである。
そして、請求項１の発明の要旨とするのは、壁仕上材としての内壁パネルを、コンクリート壁に固定するための取り付け金具であって、コンクリート壁面に固定する複数の横架材と内装パネルの背面への複数の縦材とからなり、横架材は、コンクリート壁面にねじにて取り付ける基板に、Ｌ形に連設するフックを設け、フックと反対側には直角に折り曲げてなる受縁を設けるように形成し、縦材は、内壁パネルにねじにて取り付ける基板と、この基板より段差をもって連続させた延設板よりなり、この延設板に、凹状の切り込みをもって一体にフックに被せる掛止部を膨出させ、かつ、凹状の切り込みをもって外側に弧状に膨らませ横架材の受縁に当接する舌片を設けて形成したことを特徴とするものである。
【０００５】
請求項２の発明の要旨は、請求項１記載の内壁パネルの取り付け金具であって、横架材のフックの先端部を二重に折り曲げて形成したことを特徴とするものである。
請求項３の発明の要旨は、請求項１又は請求項２記載の内壁パネルの取り付け金具であって、縦材の延設板を断面浅い溝型としたことを特徴とするものである。
【０００６】
【発明の実施の形態】
以下図面に示す発明の実施の形態に即して説明する。
コンクリ−ト壁面Ｗに縦方向に並列配置する内壁パネルＰは、合板、ファイバーボード、石膏ボード、ケイ酸カルシウム板などの下地板の表面に、塗装仕上げをしたり、クロス貼り或いは肉薄の化粧合板を貼り付けるなどして構成するものである。
このような構成からなる内壁パネルＰをコンクリート壁面Ｗに添わせて固定するための取り付け金具Ｋである。
取り付け金具Ｋは、コンクリート壁面Ｗに水平方向に複数固定する横架材１と内壁パネルＰの背面の少なくとも一対両側に縦方向に固定する縦材２とからなるものである。
【０００７】
横架材１は、長尺の金属板を折り曲げて得るもので、コンクリート壁面Ｗに添わせる基板１１の長手方向の一方にはＬ形に連設するフック１２を設け、また基板１１の長手方向の他端は直角に折り曲げて受縁１３を設けるようにしてある。基板１１にはコンクリート用ねじ４のための穴１１ａを適数穿ってあり、フック１２は先端部を二重に折り曲げて形成し、肉薄の金属板であっても強度を持たせるようにしてある。
【０００８】
縦材２は、内壁パネルＰの背面にねじにて取り付ける基板２１と、この基板２１より段差をもって連続させた延設板２２よりなり、この延設板２２に、凹状の切り込み２２ａをもって一体に横架材１のフック１２に被せる掛止部２３を膨出させ、かつ、凹状の切り込み２２ｂをもって外側に弧状に膨らませ横架材１の受縁１３に当接する舌片２４を設けて形成してある。
延設板２２は、図示のように基板２１よりの段差を含めて浅い溝型に形成し、金属板を折曲することで強度を持たせるようにすることが望ましい。
基板２１には横長の穴２１ａを穿ち、内壁パネルＰにねじ５にて取り付けるようにする。
【０００９】
このような構成からなる内壁パネルの取り付け金具Ｋは、まず、コンクリート壁面Ｗの上下に横架材１を複数平行に、コンクリート用のねじ４にて止めるようにする。
図示の例では三箇所に横架材１を配設するようにしているが、天井の高さによっては多くしたり、二つにしたりしてもよい。
内壁パネルＰの背面に少なくとも両側縁に縦材２をねじ５にてねじ込み止めるようにしておく。
そして内壁パネルＰをコンクリート壁面Ｗに沿わせるようにして持ち上げ、背面の縦材２の掛止部２３を横架材１のフック１２に被せて引き下ろして掛け止め、横架材１の受縁１３に縦材２の舌片２４が当接させるようにする。
図示しないが、天井あるいは梁と内壁パネルＰの隙間には別途廻り縁を嵌め込み固定して内壁パネルＰと面一にする。
このような構成を採用することで、横架材１と縦材２は二箇所にて支持されるので、がたつきが生じなくなり、かつ、受縁１３と舌片２４の当接箇所を正確に加工することで、壁面パネルＰが左右に傾くこともなくなるのである。
【００１０】
なお、化粧パネルＰの下地板の表面には、図示しないが、タイルやステンレス鋼板を張ることによって仕上げてもよい。
【００１１】
【発明の効果】
この発明は以上のような構成からなるもので、請求項１の発明では、フックのみでは内壁パネルがバタつくことがあるが取り付け金具を二箇所で支持とすることで、内壁パネルとコンクリート壁面を垂直に保てることになる。また、横架材の受縁と舌片の採用により多数の内壁パネルを左右方向に並べたとき傾くようなこともない。
また、予め仕上げた内壁パネルを嵌め込むので施工のスピードアップが図れることになる。
加えて、内壁パネルはコンクリート壁面に直接固定するのでないので、取り付け後の取り外しも大掛かりになることなく、交換補修が容易となるのである。
【００１２】
請求項２の発明では、横架材のフックを二重に構成することで、金具の肉厚を薄くしても剛性を保持できることになる。
請求項３の発明では、縦材の延設切を断面浅い溝型としたので、別途補強手段を付加することなく剛性を保てることになる。
【図面の簡単な説明】
【図１】この発明に係るパネルの取り付け金具の使用状態の斜視図である。
【図２】この発明に係る取り付け金具の取り付け状態の断面図である。、
【図３】この発明に係る取り付け金具の取り付け状態を示すための要部斜視図である。
【符号の説明】
Ｗ  コンクリート壁面
Ｐ  内壁パネル
Ｋ  取り付け金具
１  横架材
２  縦材
【図１】
2004285731.tif 000003
【図２】
2004285731.tif 000004
【図３】
2004285731.tif 000005